(57)【特許請求の範囲】
【請求項１】
複数の送信機を制御する方法であって、
前記複数の送信機のうちの少なくとも一つが受信機にパケットを送信し、
前記制御することが、コントローラから前記複数の送信機のうちの前記少なくとも一つに少なくとも一つのメッセージを送ることによって行われ、
前記方法が、
前記メッセージの信頼度を決定するステップと、
前記決定された信頼度で目標送信機に前記メッセージを送るステップと、
を含み、
前記決定のステップは、
活性化スケジューリング許諾メッセージに設定された信頼度より高い信頼度を不活性化スケジューリング許諾メッセージに設定する第１の決定ステップ、又は、
速度増加スケジューリング許諾メッセージに設定された信頼度より高い信頼度を速度減少スケジューリング許諾メッセージに設定する第２の決定ステップであることを特徴とする方法。
【請求項２】
前記第２の決定のステップにおいて、前記信頼度は前記データ伝送速度の増加または減少の量に依存して決定される、請求項１に記載の方法。
【請求項３】
前記信頼度は、前記メッセージの符号化利得と前記メッセージの送信アンテナの数と前記メッセージの送信の反復回数とを含む要因の少なくとも一つを含むことと、
前記決定のステップにおいて、前記要因の少なくとも一つは、より低い信頼度で送られるべきである前記メッセージに関する前記要因の前記一つよりも、より高い信頼度で送られるべきである前記メッセージに関して、より大きく設定される、請求項１に記載の方法。
【請求項４】
前記決定のステップにおいて、より高い重要度を有するスケジューリング許諾メッセージには、より低い重要度を有するスケジューリング許諾メッセージに設定される信頼度より高い信頼度が設定される、請求項１に記載の方法。
【請求項５】
前記決定のステップは、前記第２の決定ステップであり、
前記コントローラから前記目標送信機に向けて速度減少スケジューリング許諾メッセージを送るために前記メッセージを送るステップを引き起こすステップと、
前記目標送信機が前記速度減少スケジューリング許諾メッセージを受信するステップと、
前記目標送信機が前記コントローラにスケジューリング許諾確認メッセージを送るステップと、
前記目標送信機が前記速度減少スケジューリング許諾メッセージを受信した後、ある期間が経過したときに前記データ伝送速度を減少させるステップとを更に含む、請求項１に記載の方法。
【請求項６】
前記決定のステップは、前記第２の決定ステップであり、
前記コントローラから前記目標送信機に向けて速度増加スケジューリング許諾メッセージを送るために前記メッセージを送るステップを引き起こすステップと、
前記目標送信機が前記速度増加スケジューリング許諾メッセージを受信するステップと、
前記目標送信機が前記速度増加スケジューリング許諾メッセージを受信した後、ある期間が経過したときに前記データ伝送速度を増加させるステップとを更に含む、請求項１に記載の方法。
【請求項７】
前記決定のステップは、前記第２の決定ステップであり、
前記コントローラから第１の目標送信機に向けて速度増加スケジューリング許諾メッセージを送るために前記メッセージを送るステップを引き起こすステップと、
前記目標送信機が前記速度増加スケジューリング許諾メッセージを受信するステップと、
前記目標送信機が前記速度増加スケジューリング許諾メッセージを受信した直後に前記データ伝送速度を増加させるステップとを更に含む、請求項１に記載の方法。
【請求項８】
前記決定のステップは、前記第１の決定ステップであり、
前記コントローラから第１の目標送信機に向けられた不活性化スケジューリング許諾メッセージを送るために前記メッセージを送るステップを引き起こすステップと、
前記第１の目標送信機が前記不活性化スケジューリング許諾メッセージを受信するステップと、
前記第１の目標送信機が前記不活性化スケジューリング許諾メッセージを受信した後に前記コントローラにスケジューリング許諾確認メッセージを送るステップと、
前記第１の目標送信機が前記不活性化スケジューリング許諾メッセージ受信した後、第１の期間が経過したときにパケットの送信を停止するステップと、
前記コントローラが前記スケジューリング許諾確認メッセージを受信するステップと、
前記コントローラが前記スケジューリング許諾確認メッセージを受信した後に前記コントローラから第２の目標送信機に向けられた活性化スケジューリング許諾メッセージを送るために前記メッセージを送るステップを引き起こすステップと、
前記第２の目標送信機が前記活性化スケジューリング許諾メッセージを受信するステップと、
前記第２の目標送信機が前記活性化スケジューリング許諾メッセージを受信した後、第２の期間が経過したときにパケットの送信を開始するステップとを更に含む、請求項１に記載の方法。
【請求項９】
前記第１の目標送信機がパケットの送信を停止するときの不活性化時刻は前記第２の目標送信機がパケットの送信を開始するときの活性化時刻と同じである、請求項８に記載の方法。
【請求項１０】
前記不活性化時刻に対応する前記第１の期間を表す情報を前記不活性化スケジューリング許諾メッセージに付加するステップと、
前記活性化時刻に対応する前記第２の期間を表す情報を前記活性化スケジューリング許諾メッセージに付加するステップとを更に含む、請求項９に記載の方法。
【請求項１１】
前記第１の期間は予め決められていることと、前記方法が、
前記第１の目標送信機によって首尾よく受信された前記不活性化スケジューリング許諾メッセージの送信時刻と、前記第１の期間と、前記活性化時刻の送信時刻とに基づいて前記第２の期間を計算するステップを更に含む、請求項１０に記載の方法。
【請求項１２】
前記コントローラが前記スケジューリング許諾確認メッセージを受信するまで前記コントローラから前記第１の目標送信機に向けられた不活性化スケジューリング許諾メッセージを送るために前記メッセージを送るステップを引き起こすステップを繰り返すステップを更に含む、請求項８に記載の方法。
【請求項１３】
前記決定のステップは、前記第１の決定ステップであり、
前記コントローラから第１の目標送信機に向けられた不活性化スケジューリング許諾メッセージを送るために前記メッセージを送るステップを繰り返し引き起こすステップと、
前記第１の目標送信機が前記不活性化スケジューリング許諾メッセージの少なくとも一つを受信するステップと、
前記第１の目標送信機が前記不活性化スケジューリング許諾メッセージの前記一つを受信した後、第１の期間が経過したときパケットの送信を停止するステップと、
前記コントローラから第２の目標送信機に向けられた活性化スケジューリング許諾メッセージを送るために前記メッセージを送るステップを引き起こすステップと、
前記第２の目標送信機が前記活性化スケジューリング許諾メッセージを受信するステップと、
前記第２の目標送信機が前記活性化スケジューリング許諾メッセージを受信した後、第２の期間が経過したときにパケットの送信を開始するステップと、を更に含む請求項１に記載の方法。
【請求項１４】
前記第１の目標送信機がパケットの送信を停止するときの不活性化時刻は前記第２の目標送信機がパケットの送信を開始するときの活性化時刻と同じである、請求項１３に記載の方法。
【請求項１５】
前記不活性化時刻に対応する前記第１の期間を表す情報を前記不活性化スケジューリング許諾メッセージに付加するステップと、
前記活性化時刻に対応する前記第２の期間を表す情報を前記活性化スケジューリング許諾メッセージに付加するステップとを更に含む、請求項１４に記載の方法。
【請求項１６】
前記不活性化時刻は予め決められていることと、前記方法が、
前記不活性化スケジューリング許諾メッセージの各々の送信時刻と前記不活性化時刻とに基づいて前記不活性化スケジューリング許諾メッセージの各々に関する第１の期間を計算するステップを更に含む、請求項１５に記載の方法。
【請求項１７】
前記コントローラから第２の目標送信機に向けられた活性化スケジューリング許諾メッセージを送るために前記メッセージを送るステップを引き起こすステップが繰り返し実行される、請求項１３に記載の方法。
【請求項１８】
前記コントローラから前記第１の送信機に向けられた不活性化スケジューリング許諾メッセージを送るために前記メッセージを送るステップを引き起こすことの発生回数が前記コントローラから前記第２の送信機に向けられた活性化スケジューリング許諾メッセージを送るために前記メッセージを送るステップを引き起こすことの発生回数より多い、請求項１７に記載の方法。
【請求項１９】
前記方法はセルラー移動体通信ネットワークに適用されることと、
前記複数の送信機の各々は前記セルラー移動体通信ネットワークにおける複数の移動局の各々に含まれることと、
前記受信機と前記コントローラは前記セルラー移動体通信ネットワークにおける基地局に含まれる、請求項１乃至１８の何れか１項に記載の方法。
【請求項２０】
複数の送信機を制御するためのシステムであって、
複数の送信機のうちの少なくとも一つが受信機にパケットを送信し、
前記制御することが、コントローラから前記複数の送信機のうちの前記少なくとも一つに少なくとも一つのメッセージを送ることによって行われ、
前記システムが、
前記メッセージの信頼度を決定する手段と、
前記決定された信頼度で目標送信機に前記メッセージを送る手段と、
を含み、
前記決定の手段は、
活性化スケジューリング許諾メッセージに設定される信頼度より高い信頼度を不活性化スケジューリング許諾メッセージに設定する第１の決定手段、又は
速度増加スケジューリング許諾メッセージに設定される信頼度より高い信頼度を速度減少スケジューリング許諾メッセージに設定する第２の決定手段であることを特徴とするシステム。
【請求項２１】
前記第２の決定の手段は、前記信頼度を前記データ伝送速度の増加または減少の量に依存して決定する、請求項２０に記載のシステム。
【請求項２２】
前記信頼度は、前記メッセージの符号化利得と前記メッセージの送信アンテナの数と前記メッセージの送信の反復回数とを含む要因の少なくとも一つを含むことと、
前記決定の手段は、前記要因の少なくとも一つを、より低い信頼度で送られるべきである前記メッセージに関する前記要因の前記一つよりも、より高い信頼度で送られるべきである前記メッセージに関して、より大きく設定する、請求項２０に記載のシステム。
【請求項２３】
前記決定の手段は、より高い重要度を有するスケジューリング許諾メッセージには、より低い重要度を有するスケジューリング許諾メッセージに設定される信頼度より高い信頼度を設定する、請求項２０に記載のシステム。
【請求項２４】
前記決定の手段は、前記第２の決定の手段であり、
前記メッセージを送る手段は、前記コントローラから前記目標送信機に向けて速度減少スケジューリング許諾メッセージを送ることと、
前記目標送信機は、
前記速度減少スケジューリング許諾メッセージを受信する手段と、
前記コントローラにスケジューリング許諾確認メッセージを送る手段と、
前記速度減少スケジューリング許諾メッセージを受信した後、ある期間が経過したときに前記データ伝送速度を減少させる手段とを含む、請求項２０に記載のシステム。
【請求項２５】
前記決定の手段は、前記第２の決定の手段であり、
前記メッセージを送る手段は前記コントローラから前記目標送信機に向けて速度増加スケジューリング許諾メッセージを送ることと、
前記目標送信機は、
前記速度増加スケジューリング許諾メッセージを受信する手段と、
前記速度増加スケジューリング許諾メッセージを受信した後、ある期間が経過したときに前記データ伝送速度を増加させる手段とを含む、請求項２０に記載のシステム。
【請求項２６】
前記決定の手段は、前記第２の決定の手段であり、
前記メッセージを送る手段は、前記コントローラから前記目標送信機に向けて速度増加スケジューリング許諾メッセージを送ることと、
前記目標送信機は、
前記速度増加スケジューリング許諾メッセージを受信する手段と、
前記速度増加スケジューリング許諾メッセージを受信した直後に前記データ伝送速度を増加させる手段とを含む、請求項２０に記載のシステム。
【請求項２７】
前記決定の手段は、前記第１の決定の手段であり、
前記メッセージを送る手段は、前記コントローラから第１の目標送信機に向けられた不活性化スケジューリング許諾メッセージを送ることと、
前記第１の目標送信機は、
前記不活性化スケジューリング許諾メッセージを受信する手段と、
前記不活性化スケジューリング許諾メッセージを受信した後に前記コントローラにスケジューリング許諾確認メッセージを送る手段と、
前記不活性化スケジューリング許諾メッセージ受信した後、第１の期間が経過したときにパケットの送信を停止する手段と、
を含み、
前記コントローラは、前記スケジューリング許諾確認メッセージを受信する手段を含み、
前記メッセージを送る手段は、前記コントローラが前記スケジューリング許諾確認メッセージを受信した後に前記コントローラから第２の目標送信機に向けられた活性化スケジューリング許諾メッセージを送ることと、
前記第２の目標送信機は、
前記活性化スケジューリング許諾メッセージを受信する手段と、
前記活性化スケジューリング許諾メッセージを受信した後、第２の期間が経過したときにパケットの送信を開始する手段とを含む、請求項２０に記載のシステム。
【請求項２８】
前記第１の目標送信機がパケットの送信を停止するときの不活性化時刻は前記第２の目標送信機がパケットの送信を開始するときの活性化時刻と同じである、請求項２７に記載のシステム。
【請求項２９】
前記コントローラは、
前記不活性化時刻に対応する前記第１の期間を表す情報を前記不活性化スケジューリング許諾メッセージに付加する手段と、
前記活性化時刻に対応する前記第２の期間を表す情報を前記活性化スケジューリング許諾メッセージに付加する手段とを更に含む、請求項２８に記載のシステム。
【請求項３０】
前記第１の期間は予め決められていることと、
前記コントローラは、前記第１の目標送信機によって首尾よく受信された前記不活性化スケジューリング許諾メッセージの送信時刻と、前記第１の期間と、前記活性化時刻の送信時刻とに基づいて前記第２の期間を計算する手段を更に含む、請求項２９に記載のシステム。
【請求項３１】
前記メッセージを送る手段は、前記コントローラが前記スケジューリング許諾確認メッセージを受信するまで前記コントローラから第１の目標送信機に向けられた前記不活性化スケジューリング許諾メッセージを繰り返し送る、請求項２７に記載のシステム。
【請求項３２】
前記決定の手段は、前記第１の決定の手段であり、
前記メッセージを送る手段は、前記コントローラから第１の目標送信機に向けられた不活性化スケジューリング許諾メッセージを繰り返し送ることと、
前記第１の目標送信機は、
前記不活性化スケジューリング許諾メッセージの少なくとも一つを受信する手段と、
前記不活性化スケジューリング許諾メッセージの前記一つを受信した後、第１の期間が経過したときパケットの送信を停止する手段と、
を含み、
前記メッセージを送る手段は、前記コントローラから第２の目標送信機に向けられた活性化スケジューリング許諾メッセージを送り、
前記第２の目標送信機は、
前記活性化スケジューリング許諾メッセージを受信する手段と、
前記活性化スケジューリング許諾メッセージを受信した後、第２の期間が経過したときにパケットの送信を開始する手段とを含む、請求項２０に記載のシステム。
【請求項３３】
前記第１の目標送信機がパケットの送信を停止するときの不活性化時刻は前記第２の目標送信機がパケットの送信を開始するときの活性化時刻と同じである、請求項３２に記載のシステム。
【請求項３４】
前記コントローラは、
前記不活性化時刻に対応する前記第１の期間を表す情報を前記不活性化スケジューリング許諾メッセージに付加する手段と、
前記活性化時刻に対応する前記第２の期間を表す情報を前記活性化スケジューリング許諾メッセージに付加する手段とを更に含む、請求項３３に記載のシステム。
【請求項３５】
前記不活性化時刻は予め決められていることと、
前記コントローラは、前記不活性化スケジューリング許諾メッセージの各々の送信時刻と前記不活性化時刻とに基づいて前記不活性化スケジューリング許諾メッセージの各々に関する第１の期間を計算する手段を更に含む、請求項３４に記載のシステム。
【請求項３６】
前記メッセージを送る手段は、前記コントローラから第２の送信機に向けられた活性化スケジューリング許諾メッセージを繰り返し送る、請求項３２に記載のシステム。
【請求項３７】
前記メッセージを送る手段が前記コントローラから前記第１の送信機に向けられた不活性化スケジューリング許諾メッセージを送ることの発生回数が、前記メッセージを送る手段が前記コントローラから前記第２の送信機に向けられた活性化スケジューリング許諾メッセージを送ることの発生回数より多い、請求項３６に記載のシステム。
【請求項３８】
前記システムはセルラー移動体通信ネットワークに適用されることと、
前記複数の送信機の各々は前記セルラー移動体通信ネットワークにおける複数の移動局の各々に含まれることと、
前記受信機と前記コントローラは前記セルラー移動体通信ネットワークにおける基地局に含まれる、請求項２０乃至３７の何れか１項に記載のシステム。
【請求項３９】
複数の送信機を制御する方法であって、
前記複数の送信機のうちの少なくとも一つが受信機にパケットを送信し、
前記制御することが、コントローラから前記複数の送信機のうちの前記少なくとも一つに少なくとも一つのメッセージを送ることによって行われ、
前記方法が、
前記コントローラから第１の目標送信機に向けられた不活性化スケジューリング許諾メッセージまたは速度減少スケジューリング許諾メッセージを送るステップと、
前記第１の目標送信機が前記不活性化スケジューリング許諾メッセージまたは前記速度減少スケジューリング許諾メッセージを受信するステップと、
前記第１の目標送信機が前記不活性化スケジューリング許諾メッセージまたは前記速度減少スケジューリング許諾メッセージを受信した後に前記コントローラにスケジューリング許諾確認メッセージを送るステップと、
前記第１の目標送信機が前記不活性化スケジューリング許諾メッセージまたは前記速度減少スケジューリング許諾メッセージを受信した後、第１の期間が経過したときにパケットの送信を停止するか、またはデータ伝送速度を減少させるステップと、
前記コントローラが前記スケジューリング許諾確認メッセージを受信するステップと、
前記コントローラが前記スケジューリング許諾確認メッセージを受信した後に前記コントローラから第２の目標送信機に向けて活性化スケジューリング許諾メッセージまたは速度増加スケジューリング許諾メッセージを送るステップと、
前記第２の目標送信機が前記活性化スケジューリング許諾メッセージまたは前記速度増加スケジューリング許諾メッセージを受信するステップと、
前記第２の目標送信機が前記活性化スケジューリング許諾メッセージまたは前記速度増加スケジューリング許諾メッセージを受信した後、第２の期間が経過したときに、または前記活性化スケジューリング許諾メッセージまたは前記速度増加スケジューリング許諾メッセージを受信した直後に、パケットの送信を開始するか、またはデータ伝送速度を増加させるステップとを含む、方法。
【請求項４０】
前記第１の目標送信機がパケットの送信を停止するときの不活性化時刻、または前記第１の目標送信機がデータ伝送速度を減少させる時の速度減少時刻は、前記第２の目標送信機がパケットの送信を開始するときの活性化時刻、または前記第２の目標送信機がデータ伝送速度を増加させるときの速度増加時刻と同じである、請求項３９に記載の方法。
【請求項４１】
前記不活性化時刻または前記速度減少時刻に対応する前記第１の期間を表す情報を前記不活性化スケジューリング許諾メッセージまたは前記速度減少スケジューリング許諾メッセージに付加するステップと、
前記活性化時刻または前記速度減少時刻に対応する前記第２の期間を表す情報を前記活性化スケジューリング許諾メッセージまたは前記速度減少スケジューリング許諾メッセージに付加するステップとを更に含む、請求項４０に記載の方法。
【請求項４２】
前記第１の期間は予め決められていることと、前記方法は、
前記第１の目標送信機によって首尾よく受信された前記不活性化スケジューリング許諾メッセージまたは前記速度減少スケジューリング許諾メッセージの送信時刻と、前記第１の期間と、前記活性化時刻または前記速度増加時刻の送信時刻とに基づいて前記第２の期間を計算するステップを更に含む、請求項４１に記載の方法。
【請求項４３】
前記コントローラが前記スケジューリング許諾確認メッセージを受信するまで前記コントローラから第１の目標送信機に向けられた前記不活性化スケジューリング許諾メッセージまたは前記速度減少スケジューリング許諾メッセージを送るステップを繰り返すステップを更に含む、請求項３９に記載の方法。
【請求項４４】
複数の送信機を制御する方法であって、
前記複数の送信機のうちの少なくとも一つが受信機にパケットを送信し、
前記制御することが、コントローラから前記複数の送信機のうちの前記少なくとも一つに少なくとも一つのメッセージを送ることによって行われ、
前記方法が、
前記コントローラから第１の目標送信機に向けられた不活性化スケジューリング許諾メッセージまたは速度減少スケジューリング許諾メッセージを送るステップと、
前記不活性化スケジューリング許諾メッセージまたは前記速度減少スケジューリング許諾メッセージに応答して前記第１の目標送信機からスケジューリング許諾確認メッセージを前記コントローラによって受信するステップと、
前記コントローラが前記スケジューリング許諾確認メッセージを受信した後に前記コントローラから第２の目標送信機に向けられた活性化スケジューリング許諾メッセージまたは速度増加スケジューリング許諾メッセージを送るステップと、
を含む、方法。
【請求項４５】
前記不活性化スケジューリング許諾メッセージまたは前記速度減少スケジューリング許諾メッセージに応答して前記第１の目標送信機がパケットの送信を停止するときの不活性化時刻、または前記第１の目標送信機がデータ伝送速度を減少させるときの速度減少時刻は、前記活性化スケジューリング許諾メッセージまたは前記速度増加スケジューリング許諾メッセージに応答して前記第２の目標送信機がパケットの送信を開始するときの活性化時刻、または前記第２の目標送信機がデータ伝送速度を増加させるときの速度増加時刻と同じである、請求項４４に記載の方法。
【請求項４６】
前記不活性化時刻または前記速度減少時刻に対応する前記第１の期間を表す情報を前記不活性化スケジューリング許諾メッセージまたは前記速度減少スケジューリング許諾メッセージに付加するステップと、
前記活性化時刻または前記速度減少時刻に対応する前記第２の期間を表す情報を前記活性化スケジューリング許諾メッセージまたは前記速度減少スケジューリング許諾メッセージに付加するステップとを更に含む、請求項４５に記載の方法。
【請求項４７】
前記第１の期間は予め決められていることと、前記方法は、
前記第１の目標送信機によって首尾よく受信された前記不活性化スケジューリング許諾メッセージまたは前記速度減少スケジューリング許諾メッセージの送信時刻と前記第１の期間と前記活性化時刻または前記速度増加時刻の送信時刻とに基づいて前記第２の期間を計算するステップを更に含む、請求項４６に記載の方法。
【請求項４８】
前記コントローラが前記スケジューリング許諾確認メッセージを受信するまで前記コントローラから第１の目標送信機に向けられた前記不活性化スケジューリング許諾メッセージまたは前記速度減少スケジューリング許諾メッセージを送るステップを繰り返すステップを更に含む、請求項４４に記載の方法。
【請求項４９】
複数の送信機を制御する方法であって、
前記複数の送信機のうちの少なくとも一つが受信機にパケットを送信し、
前記制御することが、コントローラから前記複数の送信機のうちの前記少なくとも一つに少なくとも一つのメッセージを送ることによって行われ、
前記方法が、
前記コントローラから第１の目標送信機に向けられた不活性化スケジューリング許諾メッセージまたは速度減少スケジューリング許諾メッセージを繰り返し送るステップと、
前記第１の目標送信機が前記不活性化スケジューリング許諾メッセージの少なくとも一つまたは前記速度減少スケジューリング許諾メッセージの少なくとも一つを受信するステップと、
前記第１の目標送信機が前記不活性化スケジューリング許諾メッセージの前記一つまたは前記速度減少スケジューリング許諾メッセージの前記一つを受信した後、第１の期間が経過したときにパケットの送信を停止するか、またはデータ伝送速度を減少させるステップと、
前記コントローラから第２の目標送信機に向けられた活性化スケジューリング許諾メッセージまたは速度増加スケジューリング許諾メッセージを送るステップと、
前記第２の目標送信機が前記活性化スケジューリング許諾メッセージまたは前記速度増加スケジューリング許諾メッセージを受信するステップと、
前記第２の目標送信機が前記活性化スケジューリング許諾メッセージまたは前記速度増加スケジューリング許諾メッセージを受信した後、第２の期間が経過したときにパケットの送信を開始するか、またはデータ伝送速度を増加させるステップと、
を含む、方法。
【請求項５０】
前記第１の目標送信機がパケットの送信を停止するときの不活性化時刻、または前記第１の目標送信機がデータ伝送速度を減少させるときの速度減少時刻は、前記第２の目標送信機がパケットの送信を開始するときの活性化時刻、または前記第２の目標送信機がデータ伝送速度を増加させるときの速度増加時刻と同じである、請求項４９に記載の方法。
【請求項５１】
前記不活性化時刻または前記速度減少時刻に対応する前記第１の期間を表す情報を前記不活性化スケジューリング許諾メッセージまたは前記速度減少スケジューリング許諾メッセージに付加するステップと、
前記活性化時刻または前記速度増加時刻に対応する前記第２の期間を表す情報を前記活性化スケジューリング許諾メッセージまたは前記速度増加スケジューリング許諾メッセージに付加するステップとを更に含む、請求項５０に記載の方法。
【請求項５２】
前記不活性化時刻または前記速度減少時刻は予め決められていることと、前記方法は、
前記不活性化スケジューリング許諾メッセージの各々または前記速度減少スケジューリング許諾メッセージの各々の送信時刻と前記不活性化時刻または前記速度減少時刻とに基づいて前記不活性化スケジューリング許諾メッセージの各々または前記速度減少スケジューリング許諾メッセージの各々に関する前記第１の期間を計算するステップを更に含む、請求項５１に記載の方法。
【請求項５３】
前記コントローラから第２の目標送信機に向けられた前記活性化スケジューリング許諾メッセージまたは前記速度増加スケジューリング許諾メッセージを送信するステップは、繰り返し実行される、請求項４９に記載の方法。
【請求項５４】
前記コントローラから前記第１の目標送信機に向けられた前記不活性化スケジューリング許諾メッセージまたは前記速度減少スケジューリング許諾メッセージを送信することの発生回数は、前記コントローラから前記第２の目標送信機に向けて前記活性化スケジューリング許諾メッセージまたは前記速度増加スケジューリング許諾メッセージを送信することの発生回数より多い、請求項５３に記載の方法。
【請求項５５】
複数の送信機を制御する方法であって、
複数の送信機のうちの少なくとも一つが受信機にパケットを送信し、
前記制御することが、コントローラから前記複数の送信機のうちの前記少なくとも一つに少なくとも一つのメッセージを送ることによって行われ、
前記方法が、
前記コントローラから第１の目標送信機に向けられた不活性化スケジューリング許諾メッセージまたは速度減少スケジューリング許諾メッセージを繰り返し送るステップと、
前記コントローラから第２の目標送信機に向けられた活性化スケジューリング許諾メッセージまたは速度増加スケジューリング許諾メッセージを送るステップと、
を含む、方法。
【請求項５６】
前記第１の目標送信機がパケットの送信を停止するときの不活性化時刻、または前記第１の目標送信機がデータ伝送速度を減少させるときの速度減少時刻は、前記第２の目標送信機がパケットの送信を開始するときの活性化時刻、または前記第２の目標送信機がデータ伝送速度を増加させるときの速度増加時刻と同じである、請求項５５に記載の方法。
【請求項５７】
前記不活性化時刻または前記速度減少時刻に対応する前記第１の期間を表す情報を前記不活性化スケジューリング許諾メッセージまたは前記速度減少スケジューリング許諾メッセージに付加するステップと、
前記活性化時刻または前記速度増加時刻に対応する前記第２の期間を表す情報を前記活性化スケジューリング許諾メッセージまたは前記速度増加スケジューリング許諾メッセージに付加するステップとを更に含む、請求項５６に記載の方法。
【請求項５８】
前記不活性化時刻または前記速度減少時刻は予め決められていることと、
前記方法は、
前記不活性化スケジューリング許諾メッセージの各々または前記速度減少スケジューリング許諾メッセージの各々の送信時刻と前記不活性化時刻または前記速度減少時刻とに基づいて前記不活性化スケジューリング許諾メッセージ各々または前記速度減少スケジューリング許諾メッセージの各々に関する前記第１の期間を計算するステップを更に含む、請求項５７に記載の方法。
【請求項５９】
前記コントローラから第２の目標送信機に向けられた前記活性化スケジューリング許諾メッセージまたは前記速度増加スケジューリング許諾メッセージを送信するステップは、繰り返し実行される、請求項５５に記載の方法。
【請求項６０】
前記コントローラから前記第１の目標送信機に向けられた前記不活性化スケジューリング許諾メッセージまたは前記速度減少スケジューリング許諾メッセージを送信することの発生回数は、前記コントローラから前記第２の目標送信機に向けられた前記活性化スケジューリング許諾メッセージまたは前記速度増加スケジューリング許諾メッセージを送信することの発生回数より多い、請求項５９に記載の方法。
【請求項６１】
コントローラから不活性化スケジューリング許諾メッセージまたは速度減少スケジューリング許諾メッセージを受信するステップと、
前記不活性化スケジューリング許諾メッセージまたは前記速度減少スケジューリング許諾メッセージを受信した後に前記コントローラにスケジューリング許諾確認メッセージを送るステップと、
前記不活性化スケジューリング許諾メッセージまたは前記速度減少スケジューリング許諾メッセージを受信した後、ある期間が経過したときにパケットの送信を停止するか、またはデータ伝送速度を減少させるステップとを含む、パケット伝送を制御する方法。
【請求項６２】
前記期間は、前記不活性化スケジューリング許諾メッセージまたは前記速度減少スケジューリング許諾メッセージを受信した時刻から不活性化時刻までの期間であることと、
前記方法は、前記不活性化スケジューリング許諾メッセージまたは前記速度減少スケジューリング許諾メッセージを受信した後、前記期間が経過した時刻を検出するために前記期間に対応する数をタイマーにカウントさせるステップを更に含む、請求項６１に記載の方法。
【請求項６３】
請求項１から４のいずれか一項又は請求項３９から６２のいずれか一項に記載の方法をコンピュータに実行させるためのコンピュータプログラム。
【発明の詳細な説明】
【技術分野】
【０００１】
本発明は、複数の送信機を制御するための方法とシステムとに関し、また特にセルラー移動体通信ネットワークにおける複数の送信機を制御するための方法とシステムとに関する。
【背景技術】
【０００２】
典型的なセルラー移動体通信ネットワークにおいては、移動局はアップリンク・データパケットといったアップリンクパケットを無線で基地局に送り、この基地局はこれらの受信したパケットを適当な上位層に、例えばインターネットに転送する。セルラー移動体通信ネットワークにおいて多数の移動局からの効率的なアップリンクパケット伝送をサポートするためには、基地局は、個々の移動局のサービス要件を満たしながら、セル内の全アップリンクデータのスループットを最大にするために多数の移動局をスケジューリングする。
【０００３】
アップリンクパケット・スケジューリングシステムの一例として図１は、改良型アップリンク専用チャネル（ＥＵＤＣＨ）システムを示している。ＥＵＤＣＨでは移動局１０１−１、１０１−２は、アップリンクにおけるスケジューリング要求メッセージ(scheduling request message)およびダウンリンクにおけるスケジューリング許諾メッセージ(scheduling grant message)といった制御メッセージを基地局１０２との間で交換している。基地局スケジューラ（すなわち基地局１０２におけるスケジューラ）は、スケジューリング許諾メッセージを送信することによって無線資源を割り当てる一方、移動局はスケジューリング要求メッセージを送信することによって資源を要求できる（非特許文献１と非特許文献２とを参照）。
【非特許文献１】３ＧＰＰ  ＴＳ２５．３０９Ｖ６．３．０、「技術仕様第３世代共同プロジェクト」（Ｔｅｃｈｎｉｃａｌ  Ｓｐｅｃｉｆｉｃａｔｉｏｎ  ３ｒｄ  Ｇｅｎｅｒａｔｉｏｎ  Ｐａｒｔｎｅｒｓｈｉｐ  Ｐｒｏｊｅｃｔ）、２００５年６月２８日；「技術仕様グループ無線アクセスネットワーク」（Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ）；「ＦＤＤ改良型アップリンク」（ＦＤＤ  Ｅｎｈａｎｃｅｄ  Ｕｐｌｉｎｋ）；「全体説明」（Ｏｖｅｒａｌｌ ｄｅｓｃｒｉｐｔｉｏｎ）；「ステージ２」（Ｓｔａｇｅ  ２）（リリース６）
【非特許文献２】３ＧＰＰ  ＴＲ２５．８０８Ｖ６．０．０、「技術報告第３世代共同プロジェクト」（Ｔｅｃｈｎｉｃａｌ  Ｒｅｐｏｒｔ  ３ｒｄ  Ｇｅｎｅｒａｔｉｏｎ  Ｐａｒｔｎｅｒｓｈｉｐ  Ｐｒｏｊｅｃｔ）、２００５年３月２９日；「技術仕様グループ無線アクセスネットワーク」（Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ）；「ＦＤＤ改良型アップリンク」（ＦＤＤ  Ｅｎｈａｎｃｅｄ  Ｕｐｌｉｎｋ）；「物理層アスペクト」（Ｐｈｙｓｉｃａｌ  Ｌａｙｅｒ  Ａｓｐｅｃｔｓ）（リリース６）
【発明の開示】
【発明が解決しようとする課題】
【０００４】
ＥＵＤＣＨ技術といったインターネットの従来技術の問題の一つは、移動局が基地局スケジューラによって送られたスケジューリング許諾メッセージを受信し損なったときにパケット伝送の衝突が発生し得ることである。上記の問題の図解は、図２に示されている。この例では基地局１０２は、二つの移動局をスケジューリングしている。最初に移動局１０１−１がそのパケットを送信しており、それから基地局１０１−２が伝送を要求する。基地局スケジューラは、移動局１０１−２からのパケット送信を開始するために移動局１０１−１からのパケット送信を停止することを決定する。しかしながら、移動局１０１−２に送られた活性化スケジューリング許諾メッセージ(activation scheduling grant message)は移動局１０１−２によって首尾よく受信されるのに、移動局１０１−１に送られた停止のための不活性化スケジューリング許諾メッセージ(deactivation scheduling grant message)は、移動局１０１−１によって受信され損なう。それから二つの移動局１０１−１、１０１−２のデータ伝送は、移動局１０１−２がその送信を開始すると直ぐに互いに衝突する。
【０００５】
上記の例では移動局１０１−１は、障害のあるダウンリンク無線チャネル状況などのために不活性化スケジューリング許諾メッセージを受信し損なう。多数のスケジューリングされる移動局が存在し各移動局のチャネル状況が予測できない典型的なシナリオでは、スケジューリング許諾メッセージの完全な受信は、重要な課題である。さらに不活性化スケジューリング許諾メッセージの受信失敗の結果、それぞれの移動局のデータ伝送が互いに衝突し、送信データの損失という結果を招く。
【０００６】
上記の例では基地局１０２は、移動局１０１−１がその送信を停止したことを検出した後に移動局１０１−２に活性化スケジューリング許諾メッセージを送ることができることとなる。このようにこれら二つの移動局間のパケット衝突を回避することは可能であろう。しかしながら、基地局は、活性化スケジューリング許諾メッセージを移動局１０１−２に送る前に移動局１０１−１がその送信を停止したことを検出しなくてはならない。この検出を可能にするためには、二つの移動局のどちらもデータパケットを送信していない期間が存在すべきである。それゆえにこのことは、遷移期間中の利用下の資源のもう一つの問題を発生させるであろう。
【０００７】
本発明の目的は、スケジューリング許諾メッセージの不完全な受信の場合にパケット伝送の衝突を回避するための、そして十分な無線資源利用を可能にするための複数の送信機を制御する方法とシステムとを提供することである。
【課題を解決するための手段】
【０００８】
本発明によれば、複数の送信機を制御する方法であって、前記複数の送信機のうちの少なくとも一つが受信機にパケットを送信し、前記制御することが、コントローラから前記複数の送信機のうちの前記少なくとも一つに少なくとも一つのメッセージを送ることによって行われ、前記方法が、前記メッセージの信頼度を決定するステップと、前記決定された信頼度で目標送信機に前記メッセージを送るステップと、を含み、前記決定のステップは、活性化スケジューリング許諾メッセージに設定された信頼度より高い信頼度を不活性化スケジューリング許諾メッセージに設定する第１の決定ステップ、又は、速度増加スケジューリング許諾メッセージに設定された信頼度より高い信頼度を速度減少スケジューリング許諾メッセージに設定する第２の決定ステップであることを特徴とする方法が提供される。
【０００９】
本発明によれば、複数の送信機を制御するためのシステムであって、複数の送信機のうちの少なくとも一つが受信機にパケットを送信し、前記制御することが、コントローラから前記複数の送信機のうちの前記少なくとも一つに少なくとも一つのメッセージを送ることによって行われ、前記システムが、前記メッセージの信頼度を決定する手段と、前記決定された信頼度で目標送信機に前記メッセージを送る手段と、を含み、前記決定の手段は、活性化スケジューリング許諾メッセージに設定される信頼度より高い信頼度を不活性化スケジューリング許諾メッセージに設定する第１の決定手段、又は、速度増加スケジューリング許諾メッセージに設定される信頼度より高い信頼度を速度減少スケジューリング許諾メッセージに設定する第２の決定手段であることを特徴とするシステムが提供される。
【００１０】
本発明によれば、複数の送信機を制御する方法であって、前記複数の送信機のうちの少なくとも一つが受信機にパケットを送信し、前記制御することが、コントローラから前記複数の送信機のうちの前記少なくとも一つに少なくとも一つのメッセージを送ることによって行われ、前記方法が、前記コントローラから第１の目標送信機に向けられた不活性化スケジューリング許諾メッセージまた速度減少スケジューリング許諾メッセージを送るステップと、前記第１の目標送信機が前記不活性化スケジューリング許諾メッセージまたは前記速度減少スケジューリング許諾メッセージを受信するステップと、前記第１の目標送信機が前記不活性化スケジューリング許諾メッセージまたは前記速度減少スケジューリング許諾メッセージを受信した後に前記コントローラにスケジューリング許諾確認メッセージを送るステップと、前記第１の目標送信機が前記不活性化スケジューリング許諾メッセージまたは前記速度減少スケジューリング許諾メッセージを受信した後、第１の期間が経過したときにパケットの送信を停止するか、またはデータ伝送速度を減少させるステップと、前記コントローラが前記スケジューリング許諾確認メッセージを受信するステップと、前記コントローラが前記スケジューリング許諾確認メッセージを受信した後に前記コントローラから第２の目標送信機に向けて活性化スケジューリング許諾メッセージまたは速度増加スケジューリング許諾メッセージを送るステップと、前記第２の目標送信機が前記活性化スケジューリング許諾メッセージまたは前記速度増加スケジューリング許諾メッセージを受信するステップと、前記第２の目標送信機が前記活性化スケジューリング許諾メッセージまたは前記速度増加スケジューリング許諾メッセージを受信した後、第２の期間が経過したときに、または前記活性化スケジューリング許諾メッセージまたは前記速度増加スケジューリング許諾メッセージを受信した直後に、パケットの送信を開始するか、またはデータ伝送速度を増加させるステップとを含む、方法が提供される。
【００１１】
本発明によれば、複数の送信機を制御する方法であって、前記複数の送信機のうちの少なくとも一つが受信機にパケットを送信し、前記制御することが、コントローラから前記複数の送信機のうちの前記少なくとも一つに少なくとも一つのメッセージを送ることによって行われ、前記方法が、前記コントローラから第１の目標送信機に向けられた不活性化スケジューリング許諾メッセージまたは速度減少スケジューリング許諾メッセージを送るステップと、前記不活性化スケジューリング許諾メッセージまたは前記速度減少スケジューリング許諾メッセージに応答して前記第１の目標送信機からスケジューリング許諾確認メッセージを前記コントローラによって受信するステップと、前記コントローラが前記スケジューリング許諾確認メッセージを受信した後に前記コントローラから第２の目標送信機に向けられた活性化スケジューリング許諾メッセージまたは速度増加スケジューリング許諾メッセージを送るステップと、を含む、方法が提供される。
【００１２】
本発明によれば、複数の送信機を制御する方法であって、前記複数の送信機のうちの少なくとも一つが受信機にパケットを送信し、前記制御することが、コントローラから前記複数の送信機のうちの前記少なくとも一つに少なくとも一つのメッセージを送ることによって行われ、前記方法が、前記コントローラから第１の目標送信機に向けられた不活性化スケジューリング許諾メッセージまたは速度減少スケジューリング許諾メッセージを繰り返し送るステップと、前記第１の目標送信機が前記不活性化スケジューリング許諾メッセージの少なくとも一つまたは前記速度減少スケジューリング許諾メッセージの少なくとも一つを受信するステップと、前記第１の目標送信機が前記不活性化スケジューリング許諾メッセージの前記一つまたは前記速度減少スケジューリング許諾メッセージの前記一つを受信した後、第１の期間が経過したときにパケットの送信を停止するか、またはデータ伝送速度を減少させるステップと、前記コントローラから第２の目標送信機に向けられた活性化スケジューリング許諾メッセージまたは速度増加スケジューリング許諾メッセージを送るステップと、前記第２の目標送信機が前記活性化スケジューリング許諾メッセージまたは前記速度増加スケジューリング許諾メッセージを受信するステップと、前記第２の目標送信機が前記活性化スケジューリング許諾メッセージまたは前記速度増加スケジューリング許諾メッセージを受信した後、第２の期間が経過したときにパケットの送信を開始するか、またはデータ伝送速度を増加させるステップと、を含む、方法が提供される。
【００１３】
本発明によれば、複数の送信機を制御する方法であって、複数の送信機のうちの少なくとも一つが受信機にパケットを送信し、前記制御することが、コントローラから前記複数の送信機のうちの前記少なくとも一つに少なくとも一つのメッセージを送ることによって行われ、前記方法が、前記コントローラから第１の目標送信機に向けられた不活性化スケジューリング許諾メッセージまたは速度減少スケジューリング許諾メッセージを繰り返し送るステップと、前記コントローラから第２の目標送信機に向けられた活性化スケジューリング許諾メッセージまたは速度増加スケジューリング許諾メッセージを送るステップと、を含む、方法が提供される。
【００１４】
本発明によれば、コントローラから不活性化スケジューリング許諾メッセージまたは速度減少スケジューリング許諾メッセージを受信するステップと、前記不活性化スケジューリング許諾メッセージまたは前記速度減少スケジューリング許諾メッセージを受信した後に前記コントローラにスケジューリング許諾確認メッセージを送るステップと、前記不活性化スケジューリング許諾メッセージまたは前記速度減少スケジューリング許諾メッセージを受信した後、ある期間が経過したときにパケットの送信を停止するか、またはデータ伝送速度を減少させるステップとを含む、パケット伝送を制御する方法が提供される。
【００１５】
本発明によれば、前記期間は、前記不活性化スケジューリング許諾メッセージまたは前記速度減少スケジューリング許諾メッセージを受信した時刻から不活性化時刻までの期間であることと、前記方法は、前記不活性化スケジューリング許諾メッセージまたは前記速度減少スケジューリング許諾メッセージを受信した後、前記期間が経過した時刻を検出するために前記期間に対応する数をタイマーにカウントさせるステップを更に含む、請求項６１に記載の方法が提供される。
【００１６】
本発明によれば、上記の方法をコンピュータに実行させるためのコンピュータプログラムが提供される。
【発明の効果】
【００２９】
本発明は、十分な無線資源の利用を可能にするばかりでなくスケジューリング許諾メッセージの不完全な受信の場合にパケット送信の衝突を回避するスケジューリング方法を提供する。図６に示すように第１の移動局から送信されるパケットと第２の移動局から送信されるパケットとの間の衝突は、スケジューリング許諾メッセージの不完全な受信の存在時に無線資源がこれらの移動局のどちらか一方によって使用されながら、回避できる。
【発明を実施するための最良の形態】
【００３０】
以下、付属図面を参照して本発明による最良の実施形態を説明する。
（第１の実施形態）
図３は、基地局１０２に接続される複数の移動局１０１を含むシステムを示す。図３には単に一つの移動局１０１が図示されているが、図示されていない他の同様な移動局１０１もこの基地局１０２に接続される。移動局１０１は、基地局１０２にパケットを送信する。
【００３１】
データバッファ２０１は、基地局１０２に送信されるべきパケットを記憶する。調整器２０２は、基地局１０２へのパケットの送信が活性化されたときに、データバッファ２０１内に記憶されたパケットを供給する。送信機２０３は、調整器２０２から供給されたパケットを基地局１０２に送信し、またスケジューリング要求メッセージ(scheduling request message)、スケジューリング許諾確認メッセージ(scheduling grant confirmation massage)といったメッセージを基地局１０２に送信する。移動局１０１からのパケットの伝送速度は基地局１０２からのスケジューリング許諾メッセージ(scheduling grant massage)により基地局１０２によって制御される。受信機２０４は、活性化スケジューリング許諾メッセージ(activation scheduling grant massage)、不活性化スケジューリング許諾メッセージ(deactivation scheduling grant massage)、速度増加スケジューリング許諾メッセージ(rate-increase scheduling grant massage)、および速度減少スケジューリング許諾メッセージ(rate-decrease scheduling grant massage)といったメッセージを基地局１０２から受信する。
【００３２】
第１の停止タイマー２０８は、活性化時刻(activation time)に対応し、活性化時刻から待ち時間に対応するカウントを計数する。この活性化時刻から待ち時間は、移動局１０１が基地局１０２から活性化スケジューリング許諾メッセージを受信した時刻に開始され、活性化時刻に終了する。活性化時刻が到来すると第１の停止タイマー２０８は停止し、移動局１０１は、基地局１０２にパケットを送信し始める。
【００３３】
第２の停止タイマー２０９は、不活性化時刻(deactivation time)に対応し、不活性化時刻から待ち時間に対応するカウントを計数する。この不活性化時刻から待ち時間は、移動局１０１が基地局１０２から不活性化スケジューリング許諾メッセージを受信した時刻に開始され、不活性化時刻に終了する。不活性化時刻が到来すると第２の停止タイマー２０９は停止し、移動局１０１は、パケット送信を停止する。
【００３４】
もし活性化時刻から待ち時間に対応するカウントが移動局１０１内に記憶されれば、このカウントに関する情報は基地局１０２から送られる必要はない。これに対して、もし活性化時刻から待ち時間に対応するカウントが移動局１０１内に記憶されなければ、このカウントに関する情報は基地局１０２から送られる必要がある。不活性化時刻から待ち時間に対応するカウントに関しても同じことが当てはまる。
【００３５】
移動局１０１が活性化スケジューリング許諾メッセージを受信すると、第１の停止タイマー２０８が起動する。移動局１０１が不活性化スケジューリング許諾メッセージを受信すると、第２の停止タイマー２０９が起動する。更に移動局１０１内の第１の停止タイマー２０８が動作している間は、不活性化スケジューリング許諾メッセージはこの移動局１０１に送られない。同様に移動局１０１内の第２の停止タイマー２０９が動作している間は、活性化スケジューリング許諾メッセージはこの移動局１０１に送られない。したがって第１の停止タイマー２０８と第２の停止タイマー２０９が同時に動作している状況は存在しない。こうして、もし各カウントに関する情報が基地局１０２から送られれば、初期値として基地局１０２から送られたカウントをロードする機能を有する単一の停止タイマーが第１、第２の停止タイマー２０８、２０９の両者のように動作する。更にもし活性化時刻から待ち時間に対応するカウントと不活性化時刻から待ち時間に対応するカウントとが移動局１０１内に記憶されても、初期値として移動局１０１内にカウントをロードする機能を有する単一の停止タイマーが第１、第２の停止タイマー２０８、２０９の両者のように動作する。
【００３６】
スケジューラ２０５は、複数の移動局１０１のパケット伝送をスケジュールする。受信機２０６は、送信機２０３から送信されるパケットとメッセージとを受信する。送信機２０７は、受信機２０４によって受信されるべきメッセージを送信する。基地局１０２は、複数の移動局１０１のパケット伝送を制御するという意味で、一種のコントローラである。
【００３７】
図４は、移動局１０１の詳細な手順を示しており、これはハードウエア、ソフトウエアまたはこれらの組合せによって実現できる。ここでソフトウエア手段によってこの手順を実現することは、ＣＰＵに対して、この手順の各ステップを実行するためのコードを含むプログラムを、コンピュータ可読媒体から読み取って、実行させることを意味する。これらのステップは下記の通りである：
−［ＭＣ１］もし不活性化スケジューリング許諾メッセージが受信されれば（３０１：ＹＥＳおよび３０２：ＮＯ）、移動局１０１はこの不活性化スケジューリング許諾メッセージに応答するスケジューリング許諾確認メッセージを送信して、基地局１０２によって指定された不活性時刻まで計数を続行する停止タイマー２０９を起動し（３０３）、そして；
−［ＭＣ２］もし不活性化スケジューリング許諾メッセージを受信せず（３０１：ＮＯ、または、３０１：ＹＥＳかつ３０２：ＹＥＳ）、移動局１０１が現在不活性化されており（３０４：ＮＯ）、送信すべきパケットを一時的に記憶するためのバッファが空でなければ（３０５：ＮＯ）、移動局１０１はバッファサイズとチャネル品質情報とを含むスケジューリング要求メッセージを基地局１０２に送信し（３０６）、また；
−［ＭＣ３］もし移動局１０１が現在活性化されていて（３０４：ＹＥＳ）、停止タイマー２０９が終了している（３０７：ＹＥＳ）ならば、移動局１０１はパケット送信を不活性化する（３０８）、そして；
−［ＭＣ４］もし移動局１０１が現在活性化されていて（３０４：ＹＥＳ）、停止タイマー２０９が終了しておらず（３０７：ＮＯ）、停止タイマー２０９が活性化されていれば（３０９：ＹＥＳ）、移動局１０１は停止タイマー２０９を刻ませて（３１０）、それからバッファされたパケットを基地局１０２に送信する（３１１）。
−［ＭＣ４］もし移動局１０１が現在活性化されていて（３０４：ＹＥＳ）、停止タイマー２０９が終了しておらず（３０７：ＮＯ）、停止タイマー２０９が活性化されていなければ（３０９：ＮＯ）、ステップ３１０はスキップされて、移動局１０１はバッファされたパケットを基地局１０２に送信する（３１１）。
【００３８】
図５は、基地局１０２の詳細な手順を示しており、これはハードウエア、ソフトウエアまたはこれらの組合せによって実現できる。ここでソフトウエア手段によってこの手順を実現することは、ＣＰＵに対して、この手順の各ステップを実行するためのコードを含むプログラムを、コンピュータ可読媒体から読み取って、実行させることを意味する。これらのステップは下記の通りである：
−［ＢＳ１］スケジューリングモードにおいて（３２１：ＮＯ）、
−基地局１０２が移動局からスケジューリング要求を受信し、そして
−スケジューリングを実行する（３２２）
−もし基地局１０２が活性化されている移動局１０１を変更することを決定すれば、基地局１０２は新しく活性化される移動局を選択し（３２３：ＹＥＳ、３２４、３２５）、切替えモードに変更される（３２５）；
−もし基地局１０２が現在活性化されている移動局１０１を活性化された移動局のまま維持することを決定すれば（３２３：ＮＯ）、基地局１０２はスケジューリングモードに留まる；
−［ＢＳ２］切替えモードにおいて（３２１：ＹＥＳ）
−基地局１０２は現在活性化されている移動局１０１のひとつに不活性化スケジューリング許諾メッセージを送り（３２６：ＹＥＳ、３２７：ＮＯ、３２８：ＹＥＳ、３２９）、そして
−基地局１０２は不活性化されるべき現在活性化されている移動局からの、不活性化スケジューリング許諾メッセージに応答するスケジューリング許諾確認メッセージを待つ（３２６：ＹＥＳ、３２７）、そして
−もしスケジューリング許諾確認メッセージが受信されれば（３２７：ＹＥＳ）、
−基地局１０２は、新しく活性化される移動局１０１に活性化スケジューリング許諾メッセージを送る（３３０）、ここで活性化時刻は不活性化されるべき現在活性化されている移動局の不活性化時刻に等しい。そして基地局１０２はスケジューリングモードに切り替わる（３３１）。
−もし不活性化スケジューリング許諾メッセージに応答するスケジューリング許諾確認メッセージが予め定義された時間間隔内に受信されなければ（３２７：ＮＯ）、
−基地局１０２は不活性化されるべき現在活性化されている移動局に不活性化スケジューリング許諾メッセージを再び送る（３２８：ＹＥＳ、３２９）。
【００３９】
下記は、移動局１０１が活性化スケジューリング許諾メッセージを受信した直後にパケット送信を開始し、不活性化スケジューリング許諾メッセージを受信した後、不活性化時刻が到来したときにパケット送信を停止する場合の説明である。この場合、不活性化時刻から待ち時間のための停止タイマー２０９だけが必要とされ、停止タイマー２０８は不要である。移動局が不活性化スケジューリング許諾メッセージを受信すると、停止タイマー２０９は不活性化状態(deactivation state)から活性化状態(activation state)に切り替えられて、ゼロからカウントアップを開始する。この後に不活性化時刻が来ると、停止タイマー２０９は、不活性化スケジューリング許諾メッセージを受信した時刻から不活性化時刻までの期間に対応するカウントで計数を停止し、停止タイマー２０９は活性化状態から不活性化状態に切り替わり、そして停止タイマー２０９は非終了状態から終了状態に切り替わる。この後、移動局が活性化時刻に活性化スケジューリング許諾メッセージを受信すると、停止タイマー２０９は終了状態から非終了状態に切り替わる。したがって停止タイマー２０９は不活性化メッセージを受信したときから不活性化時刻までの期間中、すなわちカウントアップ中、活性化されている。そして停止タイマー２０９は、この他の期間中は不活性化されている。更に停止タイマー２０９は、不活性時刻から次の活性化時刻までの期間中は終了となっている。そして停止タイマー２０９は、活性化時刻から次の不活性化時刻までの期間中は終了となっていない。パケット伝送は、停止タイマー２０９が終了となっていないときに実行される。
【００４０】
活性化スケジューリング許諾メッセージを受信した後、活性化時刻が到来したときに移動局１０１がパケット伝送を開始し、不活性化スケジューリング許諾メッセージを受信した後、不活性化時刻が来たときにパケット伝送を停止する場合、停止タイマー２０８及び２０９の両者が必要とされるか、あるいは異なる期間に停止タイマー２０８、２０９として動作する単一の停止タイマーが必要とされる。しかしながら、この場合の停止タイマー２０８、２０９の動作は、既にこれらの停止タイマーの序論で説明されている。補足的説明として、第１の停止タイマー２０８が停止する活性化時刻を表すパルス信号は、パケット伝送を開始するためのトリガーとして使用でき、第２の停止タイマー２０９が停止する不活性化時刻を表すパルス信号は、パケット伝送を停止するためのトリガーとして使用できる。
【００４１】
上述の詳細な手順に基づいて図６は、下記のような二つの移動局１０１−１、１０１−２と基地局１０２との間の順次的手順の一例を示す：
−時刻インスタンスＴ１において、移動局１０１−１は、そのパケットを基地局１０２に送信している；
−時刻インスタンスＴ２において、移動局１０１−２は、データ送信を開始するために基地局１０２にスケジューリング要求を送信している（図４の３０６）；
−時刻インスタンスＴ３において、基地局１０２は、移動局１０１−２がデータ送信を開始することを可能にするために移動局１０１−１のデータ送信を停止することを決定する（図５の３２３：ＹＥＳ）；
−時刻インスタンスＴ４において、基地局１０２は、移動局１０１−１に不活性化スケジューリング許諾メッセージを送る（図５の３２９）が、移動局１０１−１はこの不活性化スケジューリング許諾メッセージを受信し損なう。不活性化時刻は時刻インスタンスＴ４と停止タイマー２０９によってカウントされる予め決められた期間とによって決定されている。すなわち不活性時刻は、時刻インスタンスＴ４の後、予め決められた期間が経過したときの時刻である。不活性化スケジューリング許諾メッセージに付加された不活性化時刻は、このとき移動局１０１−１によって受け入れられていない；
−時刻インスタンスＴ５において、移動局１０１−１のデータ送信は、時刻インスタンスＴ４における受信障害のために続行されている；
−時刻インスタンスＴ５において、移動局１０１−１はそのパケット送信を続けている（図５の３２９）；
−時刻インスタンスＴ６において、基地局１０２は、スケジューリング許諾確認メッセージ受信のタイムアウトを検出し（図５で３２７：ＮＯ、３２８：ＹＥＳ）、移動局１０１−１に不活性化スケジューリング許諾メッセージを再送する（図５の３２９）。そして移動局１０１−１は、この不活性化スケジューリング許諾メッセージを首尾よく受信する（図４で３０１：ＹＥＳ、３０２：ＮＯ）。時刻インスタンスＴ６と前述の予め決められた期間とによって新しい不活性化時刻が決定される。すなわちこの新しい不活性化時刻は、時刻インスタンスＴ６の後、予め決められた期間が経過したときの時刻である。結果として新しい不活性化時刻をもたらす同じ予め決められた期間は、再送された不活性化スケジューリング許諾メッセージに付加され、移動局１０１−１によって首尾よく受け入れられる。更に予め決められた期間を測定するために移動局１０１−１内の第２の停止タイマー２０９が起動される；
−時刻インスタンスＴ７において、移動局１０１−１は、スケジューリング許諾確認メッセージを基地局１０２に送る（図４の３０３）。このスケジューリング許諾確認メッセージを受信すると基地局１０２は、再送された不活性化スケジューリング許諾メッセージが移動局１０１−１によって首尾よく受信されたことを確認する；
−時刻インスタンスＴ８において、基地局１０２は、移動局１０１−２に活性化スケジューリング許諾メッセージを送る（図５の３３０）。この活性化スケジューリング許諾メッセージに第２の期間が付加される。この第２の予め決められた期間は、活性化スケジューリング許諾メッセージの送信時刻に加算されたときに移動局１０１−２の活性化時刻を定義することとなる。第２の予め決められた期間を測定するために、移動局１０１−２内の第１の停止タイマー２０８が起動される。
【００４２】
移動局１０１−２の活性化時刻は、移動局１０１−１の第２の不活性化時刻に等しい。具体的には活性化時刻は、移動局１０１−２内で時刻インスタンスＴ８から活性化時刻Ｔ９までの期間をカウントする第１の停止タイマー２０８によって検出される。したがって活性化スケジューリング許諾メッセージに付加された活性化時刻は、時刻インスタンスＴ８から活性化時刻Ｔ９までの期間によって表される。したがってスケジューラ２０５は、活性化時刻Ｔ９から時刻インスタンスＴ８を減算することによってこの期間を計算する。ここで、スケジューラ２０５は、移動局１０１−１によって首尾よく受信された不活性化スケジューリング許諾メッセージを送信した時刻インスタンス、すなわち時刻インスタンスＴ６に、不活性化スケジューリング許諾メッセージに付加された予め決められた期間を、加算することによって活性化時刻Ｔ９を計算する。
−時刻インスタンスＴ９、すなわち移動局１０１−２の活性化時刻あるいは移動局１０１−１の第２の不活性化時刻において、移動局１０１−１は、パケット伝送を停止し（図４の３０８）、移動局１０１−２はそのパケット伝送を開始する（図４の３０９）。
【００４３】
図４に示す詳細な移動局における手順では、移動局１０１−２は、活性化スケジューリング許諾メッセージを受信した後、予め決められた期間が経過したときの活性化時刻からパケットを送信できるが、これに対して一般的ルールでは移動局１０１は、不活性化スケジューリング許諾メッセージを受信した後、予め決められた不活性化時刻に送信を停止すべきである。この予め決められた不活性時刻は：
−不活性化されるべき現在活性化されている移動局による、不活性化スケジューリング許諾メッセージに応答するスケジューリング許諾確認メッセージの送信と、
−新しく活性化されるはずの、不活性化されている移動局への基地局による活性化スケジューリング許諾メッセージの送信と、のための期間を保証する。
【００４４】
すなわち図６に示すように、時刻Ｔ６から不活性時刻である時刻Ｔ９までの期間は、スケジューリング許諾確認メッセージが送信される時刻Ｔ７と、活性化スケジューリング許諾メッセージが送信される時刻Ｔ８とを保証する。移動局１０１−１のパケット伝送は、移動局１０１−２のパケット伝送が開始される時刻Ｔ９まで続行できる。したがってパケット伝送のない無駄な期間を、回避できる。
【００４５】
上記の一般的ルールの代わりに、パケット伝送のない無駄な期間の発生を許容する限り、活性化時刻を、不活性時刻より遅くすることができる。しかしながら、活性化時刻が不活性化時刻より早いことは、このような場合に衝突が発生するので、常に回避すべきである。
【００４６】
第１の実施形態は、不活性化スケジューリング許諾メッセージが速度減少スケジューリングメッセージに変更され、活性化スケジューリング許諾メッセージが速度増加スケジューリングメッセージに変更され、不活性化時刻が速度減少時刻(rate-decrease time)に変更され、そして活性化時刻が速度増加時刻(rate-increase time)に変更されるように、修正することができる。
【００４７】
第１の実施形態では現在活性化されている移動局１０１は、不活性化スケジューリング許諾メッセージの受信後、停止タイマー２０９が予め決められた期間に達したときに送信を停止することとなる。移動局１０１は、パケット通信の前に基地局によって予め構成された予め決められた期間を使用する。それから第１の実施形態は、基地局１０２が不活性化スケジューリング許諾メッセージと共に任意の値を明示的に送るように修正できる。予め決められた期間と比較してこの任意の値は、不活性化スケジューリング許諾メッセージ内により多くのオーバーヘッドを必要とするが、移動局１０１の不活性化時刻を制御する際により多くの柔軟性を可能にする。
（第２の実施形態）
以下、本発明の第２の実施形態を説明する。
【００４８】
第２の実施形態は、図３に示す第１の実施形態のシステムに基づいている。
【００４９】
第２の実施形態は、下記を除いて図４に示すような第１の実施形態における詳細な移動局手順に基づいている：
−移動局１０１は、基地局１０２からの不活性化スケジューリング許諾メッセージを首尾よく受信したときでも図４のステップ３０３でのスケジューリング許諾確認メッセージを送らずに、ステップ３０４に進む。
−移動局１０１は、不活性化スケジューリング許諾メッセージに付加された不活性化タイミング情報(deactivation timing information)を使用して停止タイマー２０９をリセットする。もし同じ絶対的不活性化時刻(absolute deactivation time)を指定するために、不活性化タイミング情報が、停止タイマー２０９によってカウントされるべきカウントの数によって表されるのであれば、不活性化タイミング情報は、不活性スケジューリング許諾メッセージの送信時刻に依存して変化する。不活性化タイミング情報を使用して停止タイマー２０９をリセットすることとは、停止タイマー２０９に、ゼロから、不活性化スケジューリング許諾メッセージが送られた時刻から不活性時刻までの不活性時刻（すなわち、待ち時間）を表す不活性化タイミング情報によって示されるカウントまでのカウントを開始させることを意味する。停止タイマー２０９に関する第１の実施形態と第２の実施形態との間の相違は、ステップ３０３で停止カウンタが第１の実施形態では一定値までカウントするように制御されるが、第２の実施形態では可変値までカウントするように制御されることにある。
【００５０】
本発明の第２の実施形態は、下記を除いて図５に示す第１の実施形態における詳細な基地局手順に基づいている：
−基地局１０２は、スケジューリング許諾確認メッセージを受信せずに、不活性化されるべきである現在活性化されている移動局１０１に不活性化スケジューリング許諾メッセージを繰り返し送信し、そして
−この反復される不活性化スケジューリング許諾メッセージの各々は、移動局１０１の同じ所望の不活性時刻を示す不活性化タイミング情報を含む、そして
−移動局１０１がこの複数の不活性化スケジューリング許諾メッセージのうちのどの不活性化スケジューリング許諾メッセージを受信したとしても移動局１０１は、常に移動局１０１の同じ所望の不活性化時刻を示す不活性化タイミング情報を受信する。
【００５１】
上記の詳細な手順に基づいて図７は、二つの移動局１０１−１、１０１−２と基地局１０２との間の順次的手順の一例を示す。図７の順序は下記のように特定のステップにおいて図６の順序とは異なる：
−時刻インスタンスＴ４において、基地局１０２は、移動局１０１−１内の停止タイマー２０９に対して、ゼロから（Ｔ９−Ｔ４）の期間に対応する値までカウントさせるための情報と共に不活性化スケジューリング許諾メッセージを移動局１０１−１に送る（図５の３２９）が、移動局１０１−１はこの不活性化スケジューリング許諾メッセージと不活性化タイミング情報とを受信し損なう。
−時刻インスタンスＴ６において、基地局１０２は、停止タイマー２０９にゼロから（Ｔ９−Ｔ６）の期間に対応する値までカウントさせるための情報と共に次の不活性化スケジューリング許諾メッセージを移動局１０１−１に送る（図５の３２９）。移動局１０１−１は、この第２の不活性化スケジューリング許諾メッセージを首尾よく受信し、ゼロから（Ｔ９−Ｔ６）の期間に対応するカウントまでカウントする停止タイマー２０９を起動する。時刻Ｔ９で停止タイマー２０９のカウントが（Ｔ９−Ｔ６）の期間に対応するカウントに達したとき、移動局１０１−１によるパケットの送信は停止する。もし移動局１０１−１が最初の不活性化スケジューリング許諾メッセージを受信できたとすれば、時刻Ｔ９は、停止タイマー２０９のカウントが最初の不活性化スケジューリング許諾メッセージの受信後の（Ｔ９−Ｔ４）の期間に対応するカウントに達したときに見つけられることとなっていたであろう。
【００５２】
第２の実施形態では、各不活性化スケジューリングメッセージの送信時刻から不活性化時刻までの期間が計算されるが、活性化スケジューリングメッセージの送信時刻から活性化時刻までの期間は、いったん活性化されている移動局を変えることが決定されると、不活性化時刻と同じである活性化時刻と活性化スケジューリング許諾メッセージを送る時刻とが決定されるので、予め決定される。しかしながら、活性化スケジューリング許諾メッセージが繰り返し送られる場合には、各活性化スケジューリングメッセージの送信時刻から活性化時刻までの期間は、各不活性化スケジューリングメッセージの送信時刻から不活性化時刻までの期間を計算する仕方と同様の仕方で決定される。
【００５３】
第２の実施形態によれば、不活性化時刻は、不活性化時刻が来る前に受信成功が起こる限り、不活性化スケジューリング許諾メッセージが移動局によって首尾よく受信された時刻に依存して変化することはない。
（第３の実施形態）
以下、本発明の第３の実施形態を説明する。
【００５４】
図８は、第３の実施形態による基地局１０２に接続された複数の移動局１０１を含むシステムにおける複数の移動局１０１の一つと基地局１０２とを示す。図３には単に一つの移動局１０１が示されているが、図示されていない他の類似の移動局１０１も基地局１０２に接続されている。
【００５５】
第１、第３の実施形態による基地局１０２の構造間の相違は、信頼度コントローラ２１０が追加されていることである。基地局１０２内の他の構成要素は同じである。
【００５６】
第３の実施形態は、基地局１０２が移動局に不活性化許諾メッセージを送るかまたは活性化スケジューリング許諾メッセージを送るかに依存して、一つ以上の異なる信頼度要因(reliable factor)を制御することにおいて前述の従来技術（図２に示す）とは異なる。移動局１０１によるスケジューリング許諾メッセージの受信成功の確率は、このメッセージが送られる信頼度に依存する。この信頼度は、例えば下記のような信頼度要因に依存する：
−スケジューリング許諾メッセージの送信電力、
−スケジューリング許諾メッセージの符号化利得（ここで符号化利得は、誤り訂正性能、すなわち（情報ビットの数）／（符号化ビットの数）を指す。言い換えれば、符号化されたビット（すなわち、情報ビットとパリティビット）とからなる誤り訂正符号の冗長度）。
−スケジューリング許諾メッセージの送信アンテナの数、
−スケジューリング許諾メッセージの送信の反復回数、
−移動局によるスケジューリング許諾メッセージの受信成功の確率を制御する他の方法。
【００５７】
同じ無線チャネル環境下であれば、もし信頼度要因の少なくとも一つがより大きければ（例えばスケジューリング許諾メッセージの送信電力がより大きい）、このスケジューリング許諾メッセージはより高い信頼度で送られ、これにより、スケジューリング許諾メッセージが移動局１０１によって首尾よく受信される可能性が高くなる。したがって基地局１０２は、より悪い伝送環境に関する信頼度がより良好な伝送環境に関する信頼度より高くなるように信頼度要因の少なくとも一つを制御する。
【００５８】
信頼度要因を増やすことは下記の通りである：
−スケジューリング許諾メッセージの符号化利得を増やす。
−スケジューリング許諾メッセージの送信アンテナの数を増やす。
−スケジューリング許諾メッセージの送信の反復回数を増やす。
−移動局によるスケジューリング許諾メッセージの受信成功の確率を高くするための他の方法を実行する。
【００５９】
第３の実施形態は、第１の実施形態と第２の実施形態のいずれか一つと組み合わせることができる。第３の実施形態が第１の実施形態と組み合わされる場合には、基地局１０２は、下記のように移動局１０１からのスケジューリング許諾確認メッセージの受信成功に依存して信頼度要因の少なくとも一つを制御できる（図９を参照）：
−もし基地局１０２が不活性化されるべき移動局から如何なるスケジューリング許諾確認メッセージも受信できなければ（４０１：ＮＯ）、基地局１０２は、不活性化スケジューリング許諾メッセージの再送信に関する信頼度要因の少なくとも一つをＭデルタ分だけ増加させる（４０２）。
−もし基地局１０２が不活性化されるべき、不活性化された移動局から如何なるスケジューリング許諾確認メッセージでも受信できるならば（４０１：ＹＥＳ）、基地局１０２は、信頼度要因の一つをＮデルタ分だけ減少させる（４０３）。
【００６０】
この増加した信頼度要因は、その後の同じ移動局に関するスケジューリング許諾メッセージのために使用されることとなる。
【００６１】
基地局１０２は、スケジューリングメッセージを送るときに、この増加または減少した信頼度要因を使用する。このようにして基地局１０２は、その他の移動局とは別に各移動局に関して一つの信頼度要因を維持している。
【００６２】
常に高い信頼度要因を使用することは、無線資源の観点から高くつく。例えばスケジューリングメッセージのより高い送信電力は、基地局の送信電力の乏しい資源を消費する。常に低い信頼度要因を使用することは、アップリンクのパケットの衝突を引き起こしやすい。したがってトレードオフ・パラメータ、すなわち目標収益確率（ＴＲＰ）は、基地局が移動局からスケジューリング許諾確認メッセージを首尾よく受信する目標確率として定義できる。伝送環境の質はＴＰＲに反映される。それからＮおよびＭデルタ分は、
−Ｎ＊（ＴＲＰ）＝Ｍ＊（１−ＴＲＰ）
といったＴＲＰに基づいて計算される。上記の方程式を使用すると、信頼度要因は、目標収益確率を満足させるレベルに収束することとなる。ＴＲＰが０．９に近い（言い換えれば、基地局は９０％の確率でスケジューリング許諾確認メッセージを受信したいと思っている）と、上記の方程式は次のように書き換えられる。
【００６３】
Ｎ＊０．９＝Ｍ＊０．１
したがってもしＭデルタ分がＮデルタ分より９倍大きければ、信頼度要因は最終的に９０％というＴＲＰに収束することとなる。より迅速な収束を可能にするために、より大きなＭデルタ分が選択できる。遅いが安定な収束を可能にするためには、小さなＭデルタ分が選択できる。それ故にＭデルタ分の設定は、収束の速度と安定度とに基づいて決定できる。いったんＭデルタ分が決定されると、Ｎデルタ分は上記のようにＴＲＰを使用して計算できる。
【００６４】
第３の実施形態が第２の実施形態と組み合わされる場合には基地局１０２は、移動局１０１からスケジューリング許諾確認メッセージを決して受信しないので、上記のようなＴＲＰに基づいて信頼度要因の如何なるものも制御することはできない。しかしながら、基地局１０２は、下記のように信頼度要因の少なくとも一つを制御できる。
【００６５】
基地局１０２は、移動局１０１からのスケジューリング許諾確認メッセージの受信の成功または失敗の代わりに移動局による不活性化スケジューリング許諾メッセージの受信の成功または失敗を検出する。この場合のＴＲＰは、移動局が不活性化スケジューリング許諾メッセージを首尾よく受信する確率として再定義される。基地局１０２は、不活性化時刻の後でもなおパケットが基地局１０２に到着することを検出すると、移動局１０１による不活性化スケジューリング許諾メッセージの受信の全失敗を検出できる。更に基地局１０２は、不活性化時刻の後に、もはやパケットが基地局１０２に到着しないことを検出すると、移動局１０１による不活性化スケジューリング許諾メッセージの受信の少なくとも１回の成功があったことを検出できる。移動局による不活性化スケジューリング許諾メッセージの受信成功の測定された確率に基づいて基地局１０２は、信頼度要因の少なくとも一つを制御できる。
【００６６】
これは、不活性化スケジューリング許諾メッセージが活性化スケジューリング許諾メッセージに置き換えられた場合にも当てはまる。この場合、基地局１０２は、活性化時刻の後でもパケットが基地局１０２に到着しないことを検出すると、移動局１０１による活性化スケジューリング許諾メッセージの受信の全失敗を検出できる。更に基地局１０２は、活性化時刻の後に、パケットが基地局１０２に到着することを検出すると、移動局１０１による活性化スケジューリング許諾メッセージの受信の少なくとも１回の成功があったことを検出できる。
【００６７】
上記の仕方で信頼度を更新することによって信頼度は、伝送環境が良好なときよりも伝送環境が悪いときに高くなり、それによって信頼度は伝送環境を補正する。
【００６８】
信頼度、またしたがって信頼度要因の少なくとも一つは、活性化スケジューリング許諾メッセージに関するよりも不活性化スケジューリング許諾メッセージに関して、より高くすべきである。その理由は、不活性化スケジューリング許諾メッセージの受信の失敗は、活性化スケジューリング許諾メッセージの受信の失敗の結果である無線資源利用の減少よりも重大である衝突という結果を招くからである。
【００６９】
信頼度、またしたがって信頼度要因の少なくとも一つは、伝送量をわずかしか変化させないスケジューリング許諾メッセージに関するよりも、伝送量をより多く変化（すなわち増加または減少）させるスケジューリング許諾メッセージに関して、より高くすべきである。その理由は、後者のスケジューリング許諾メッセージの受信の失敗は、前者のスケジューリング許諾メッセージの受信の失敗の結果よりも基地局１０２が所望する状態からより大きなずれを生じるという結果を招くからである。
（第４の実施形態）
以下、本発明の第４の実施形態を説明する。
【００７０】
前述の第１〜第３の実施形態は基地局１０２が単に二つのタイプのスケジューリング許諾メッセージ、すなわち活性化と不活性化だけを有するパケットスケジューリングシステムに基づいている。
【００７１】
一般に基地局１０２は、下記のような更に多くのタイプのスケジューリング許諾メッセージを持っている：
−（ＡＨ）高いデータ速度まで移動局の活性化させること、
−（ＡＬ）低いデータ速度まで移動局の活性化させること、
−（ＤＨ）高いデータ速度で送信している移動局を不活性化させること、
−（ＤＬ）低いデータ速度で送信している移動局を不活性化させること、
−（ＣＬＨ）低いデータ速度から高いデータ速度への移動局の伝送速度の変更、
−（ＣＨＬ）高いデータ速度から低いデータ速度への移動局の伝送速度の変更。
【００７２】
可変スケジューリング許諾メッセージの一例は、図１０に示すような周波数・時間分割多元接続（ＦＴＤＭＡ）ベースのアップリンクパケット伝送システムである。ＦＴＤＭＡシステムでは、多数の移動局１０１が基地局スケジューラ２０５との間でスケジューリング要求および許諾メッセージを交換することによってアップリンク・データパケットを送信している。スケジューリング許諾メッセージは、移動局１０１がデータパケットの送信を許される時間と周波数の情報を含む。例えば図１０は、移動局１０１−１の許されている周波数帯域幅が基地局スケジューラによって柔軟に変更できることを示す。
【００７３】
時刻インスタンスＴ１とＴ２との間で、移動局１０１−１はそのデータパケットをサブバンド１で送信しているが、サブバンド２は移動局１０１−２によって占有されている。
【００７４】
時刻インスタンスＴ２とＴ３との間で、移動局１０１−２は不活性化されているが、移動局１０１−１のデータ速度はサブバンド１とサブバンド２の両者の使用によって増加している。
【００７５】
時刻インスタンスＴ３とＴ４との間で、移動局１０１−１のデータ速度はその送信周波数帯域をサブバンド１に減らすことによって減少しているが、移動局１０１−２は割り当てられた周波数サブバンド２で活性化されている。
【００７６】
上記のスケジューリング許諾メッセージの一般的なタイプに関して前述の第１の実施形態は、下記のように拡張できる：
−（ＤＨ）と（ＣＨＬ）の場合に関して移動局１０１は、スケジューリング許諾確認メッセージを送り、予め定義された待ち時間の後に、対応する処置、すなわち不活性化または速度変更を実行する。
−（ＡＨ）と（ＣＬＨ）の場合に関して移動局１０１は、スケジューリング許諾確認メッセージを送り、予め定義された待ち時間の後に、対応する処置、すなわち活性化または速度変更を実行する。
−その他の場合に関して移動局１０１は、スケジューリング許諾確認メッセージを送らず、対応する処置を実行する。
【００７７】
上記の手順を使用して重要なスケジューリング許諾メッセージの送信の信頼度、例えば高いデータ速度の移動局の不活性化の送信の信頼度は、許諾確認メッセージと予め定義された待ち時間とをスケジューリングすることによって改善できる。これは、高いデータ速度の移動局の重要なスケジューリング許諾メッセージの損失を削減または除去し、それによってパケットスケジューリングシステムにおけるデータ送信の望ましくない衝突を減らすこととなる。
【００７８】
また予め定義された処置のタイミング情報（すなわち、活性化時刻と不活性化時刻）は、不活性化されるべき移動局がパケットを送信しており、それによってアップリンク無線資源の十分な利用を可能にしている間に、基地局が他の移動局のスケジューリングを準備することを可能にすることとなる。
【００７９】
上記の一般的なタイプのスケジューリング許諾メッセージに関して前述の第２の実施形態は、下記のように拡張できる。
−（ＤＨ）と（ＣＨＬ）の場合に関して基地局１０２は、スケジューリング許諾メッセージの送信をＬ回繰り返し、また
−（ＡＨ）と（ＣＬＨ）の場合に関して基地局１０２は、スケジューリング許諾メッセージの送信をＭ回繰り返し、また
−（ＡＬ）と（ＤＬ）の場合に関して基地局１０２は、スケジューリング許諾メッセージの送信をＮ回繰り返し、また
−基地局１０２は、Ｌ＞Ｍ＞Ｎとなるように、ＬとＭとＮとを設定する。
【００８０】
スケジューリングメッセージの重要度は、衝突、伝送ラインの使用率またはこれら両者、およびこれらの間のトレードオフに関係する。
【００８１】
この重要度は、移動局１０１間のパケット伝送の衝突に関係する。もしある移動局による第１のスケジューリング許諾メッセージ受信の失敗がこの移動局または他の移動局による第２のスケジューリング許諾メッセージ受信の失敗より容易に衝突という結果を招くならば、第１のスケジューリング許諾メッセージは第２のスケジューリング許諾メッセージより重要である。たとえば、もしある移動局による（ＤＨ：大きな送信電力と大きな周波数帯域幅と多数のアンテナとを占用する高いデータ速度で送信する移動局の不活性化）スケジューリング許諾メッセージの受信の失敗が、この移動局または他の移動局による（ＤＬ：より小さな送信電力とより小さな周波数帯域幅とより小数のアンテナとを占用する低いデータ速度で送信する移動局の不活性化）スケジューリング許諾メッセージの受信の失敗より重大な衝突という結果を招くならば、（ＤＨ）スケジューリング許諾メッセージは（ＤＬ）スケジューリング許諾メッセージより重要である。
【００８２】
重要度はまた、無線資源利用の使用率にも関係する。もしある移動局による第１のスケジューリング許諾メッセージ受信の失敗がこの移動局または他の移動局による第２のスケジューリング許諾メッセージ受信の失敗より悪い使用率という結果を招くならば、第１のスケジューリング許諾メッセージは第２のスケジューリング許諾メッセージより重要である。たとえば、もしある移動局による（ＡＨ：大きな送信電力と大きな周波数帯域幅と多数のアンテナとを占用する高いデータ速度を有する移動局の活性化）スケジューリング許諾メッセージの受信の失敗が、この移動局または他の移動局による（ＡＬ：小さな送信電力と小さな周波数帯域幅と小数のアンテナとを占用する低いデータ速度を有する移動局の活性化）スケジューリング許諾メッセージの受信の失敗より悪い使用率という結果を招くならば、（ＡＨ）スケジューリング許諾メッセージは（ＡＬ）スケジューリング許諾メッセージより重要である。
【００８３】
これらのスケジューリング許諾メッセージ間の間隔は、ＬとＭとＮとに依存する可能性がある。例えば間隔は、繰り返しの回数が多ければ短くなり得る。しかしながら、間隔がＬとＭとＮとに依存しないこともあり得る。
【００８４】
上記の手順を使用して最も重要なスケジューリング許諾メッセージ、例えば高いデータ速度の移動局の不活性化は、最も大きな反復要因によって保護できる。高いデータ速度を有する移動局の活性化といった２番目に重要なスケジューリング許諾メッセージは、２番目に大きな反復要因によって保護できる。
【００８５】
第２の実施形態では不活性化スケジューリング許諾メッセージは、もしこのメッセージが（ＤＨ）に対応すればＬ回送信され、もしこのメッセージが（ＤＬ）に対応すればＮ回送信される。更に活性化スケジューリング許諾メッセージが繰り返し送信されると仮定して、このメッセージは、このメッセージが（ＡＨ）に対応すればＭ回送信され、もしこのメッセージが（ＡＬ）に対応すればＮ回送信される。
【００８６】
不活性化スケジューリング許諾メッセージの送信の反復回数は、活性化スケジューリング許諾メッセージの送信の反復回数より多い。スケジューリング許諾メッセージの送信の反復回数は、第３の実施形態で述べたように信頼度要因の一つである。更にスケジューリング許諾メッセージの送信の反復回数は、この実施形態で述べたような重要度にしたがって変化する。したがって信頼度は、信頼度要因の一つとしての反復回数に依存し、また反復回数は、重要度に依存する。もし重要度が大きければ、信頼度は大きくすべきである。この関係を達成するためには、上述した反復回数を増やすことばかりでなく、第３の実施形態で述べた他の信頼度要因を増やすことも採用される。
【００８７】
図４に示す手順を含む移動局１０１の手順は、ハードウエア、ソフトウエア、またはこれらの組合せによって実現可能である。
【００８８】
図５に示す手順を含む基地局１０２の手順は、ハードウエア、ソフトウエア、またはこれらの組合せによって実現可能である。
【図面の簡単な説明】
【００８９】
【図１】改良型アップリンク専用チャネル（ＥＵＤＣＨ）システムを示す図である。
【図２】本発明によって解決される問題を示すシーケンス図である。
【図３】本発明の実施形態による移動局の一部の構造と基地局の一部の構造とを示すブロック図である。
【図４】本発明の第１の実施形態による移動局の動作を示す流れ図である。
【図５】本発明の第１の実施形態による基地局の動作を示す流れ図である。
【図６】本発明の第１の実施形態による移動局と基地局の動作の一例を示すシーケンス図である。
【図７】本発明の第２の実施形態による移動局と基地局の動作の一例を示すシーケンス図である。
【図８】本発明の第３の実施形態による移動局の一部の構造と基地局の一部の構造とを示すブロック図である。
【図９】本発明の第３の実施形態による基地局の動作を示す流れ図である。
【図１０】本発明の第４の実施形態によるＦＴＤＭＡシステムにおける移動局による周波数帯域と時間との使用を示す図である。
【符号の説明】
【００９０】
１０１  移動局
１０２  基地局
【図１】
0004807497.tif 000002
【図２】
0004807497.tif 000003
【図３】
0004807497.tif 000004
【図４】
0004807497.tif 000005
【図５】
0004807497.tif 000006
【図６】
0004807497.tif 000007
【図７】
0004807497.tif 000008
【図８】
0004807497.tif 000009
【図９】
0004807497.tif 000010
【図１０】
0004807497.tif 000011